(57)【要約】【課題】本発明の課題は、吸収速度に優れ、２回目以降の排泄による体液であっても、吸収体全体に迅速に拡散させて吸収することができ、体液の漏れを生じにくい吸収性物品を提供することである。【解決手段】吸収性物品における吸収体を、上層吸収体と下層吸収体の２層からなるものとするとともに、上層吸収体における一対の上層スリットを長手方向に直線状に延在するように排尿領域に設け、下層吸収体における一対のスリットを長手方向に直線状に延在するように下層吸収体の全長に、一対の上層スリットと重なるように設けることを特徴とする吸収性物品である。【選択図】図１
2018015216.tif 000002
【特許請求の範囲】
【請求項１】
液透過性のトップシートと、液不透過性のバックシートと、トップシート及びバックシートの間に配置された吸収体と、を有する吸収性物品であって、
前記吸収体は、トップシート側の上層吸収体と、バックシート側の下層吸収体との２層からなり、前側領域、排尿領域、及び後側領域を有し、
前記上層吸収体は、前記上層吸収体の幅方向中心線に対して左右対称に、長手方向に直線状に延在する一対の上層スリットを、排尿領域において、前記上層吸収体の長手方向の全長に対して１０％以上６５％以下の寸法で有し、
前記下層吸収体は、前記下層吸収体の幅方向中心線に対して左右対称に、長手方向に直線状に延在する一対の下層スリットを、前記下層吸収体の長手方向の全長と同じ寸法で、一対の前記上層スリットと厚さ方向で重なるように有し、
各前記上層スリットの幅方向の寸法ａと、各前記下層スリットの幅方向の寸法ｂとが、ａ≦ｂの関係式で表され、かつ、ｂはａに対して、１００％以上１５０％以下の寸法である吸収性物品。
【請求項２】
前記上層吸収体、及び前記下層吸収体は、吸収性繊維、及び高吸収性ポリマーを含有し、
前記上層吸収体の全体の坪量は、２００ｇ／ｍ２以上５００ｇ／ｍ２以下であり、
前記下層吸収体の全体の坪量は、２５０ｇ／ｍ２以上６００ｇ／ｍ２以下である、請求項１に記載の吸収性物品。
【請求項３】
前記上層吸収体に含有される吸収性繊維の坪量は、前記上層吸収体の全体で、１２０ｇ／ｍ２以上５００ｇ／ｍ２以下であり、
前記下層吸収体に含有される吸収性繊維の坪量は、前記下層吸収体の全体で、１５０ｇ／ｍ２以上６００ｇ／ｍ２以下である、請求項１又は２に記載の吸収性物品。
【請求項４】
前記上層吸収体に含有される高吸収性ポリマーは、前記上層吸収体の全体で、１５質量％以上５０質量％以下であり、坪量は、前記上層吸収体の全体で、２０ｇ／ｍ２以上２５０ｇ／ｍ２以下であり、
前記下層吸収体に含有される高吸収性ポリマーは、前記下層吸収体の全体で、１５質量％以上５０質量％以下であり、坪量は、前記下層吸収体の全体で、３０ｇ／ｍ２以上３００ｇ／ｍ２以下である、請求項１から３のいずれか一項に記載の吸収性物品。
【請求項５】
各前記上層スリットの長手方向の寸法は、３０ｍｍ以上７００ｍｍ以下であり、
各前記上層スリットの幅方向の寸法ａは、３ｍｍ以上４０ｍｍ以下であり、
各前記下層スリットの幅方向の寸法ｂは、３ｍｍ以上４０ｍｍ以下である、請求項１から４のいずれか一項に記載の吸収性物品。
【発明の詳細な説明】
【技術分野】
【０００１】
本発明は、排泄された体液の吸収性が改善された吸収性物品に関する。
【背景技術】
【０００２】
一般的に吸収性物品には、テープ止めタイプ紙おむつ、軽失禁パッド、尿取りパッド、パンツタイプ紙おむつ等が知られており、これらの吸収性物品は着用対象者の排泄における介護の必要度に応じて適宜選択されて使用される。これらの吸収性物品は、液透過性のトップシートと、液不透過性のバックシートと、両シートの間に配置された吸収体と、で構成されている。このような構成を採用することにより、尿等の体液は、吸収性物品のトップシートを透過して吸収体に吸収され、バックシートにより外部へ漏れないようになっている。
【０００３】
ここで、吸収性物品においては、着用者への装着感の向上や、排泄物の漏れ防止のため、従来、様々な工夫がなされていた。例えば、特許文献１には、着用者への装着感の向上を目的として、吸収体の幅方向略中心部に、長手方向に延在する中央スリット、中央スリットの両端に、長手方向に延在するサイドスリットが形成され、中央スリット及びサイドスリットの形成位置において吸収体が屈曲できるようになっている吸収性物品が開示されている。また、特許文献２には、着用者への装着感の向上を目的として、長手方向に延在する一対のサイドスリットと、この一対のサイドスリットの間で、ウエスト域まで延びる屈曲案内スリットとしての中央スリットを有する吸収体を備えた吸収性物品が開示されている。これらの吸収性物品においては、吸収体に３本のスリットを形成することにより、着用時にスリットの周辺が屈曲し、屈曲により形成される凸部が排泄口と密着して、屈曲により形成される凹部に排泄物が保持され、排泄物と着用者の肌との接触を回避し、着用者への装着感を向上するものとされている。
【先行技術文献】
【特許文献】
【０００４】
【特許文献１】特開２０１４−０１４７２６号公報
【特許文献２】特開２００６−３４６４３９号公報
【発明の概要】
【発明が解決しようとする課題】
【０００５】
ところで、一般に、吸収性物品において、吸収体を構成する高吸収性ポリマーが体液を吸収して膨潤した場合、膨潤した高吸収性ポリマーが、体液の吸収体内での拡散経路を塞いでしまうため、体液の吸収速度が低下する問題があった。このような問題は、不定形の高吸収性ポリマーを用いた場合と比較して、球形の高吸収性ポリマーを用いた場合に顕在化する傾向にあった。そして、このように体液の吸収速度が低下した場合、２回目以降の排泄により排泄される体液を迅速に吸収できず、体液の漏れにつながるおそれがあった。
【０００６】
したがって、本発明は以上の課題に鑑みてなされたものであり、吸収速度に優れ、２回目以降の排泄による体液であっても、吸収体の全体に迅速に拡散させて吸収することができ、体液の漏れを生じにくい吸収性物品を提供することを目的とする。
【０００７】
本発明の発明者は、上記課題に鑑み、鋭意研究を行った。その結果、吸収性物品における吸収体を、上層吸収体と下層吸収体の２層からなるものとするとともに、上層吸収体における一対の上層スリットを長手方向に直線状に延在するように排尿領域に設け、下層吸収体における一対のスリットを長手方向に直線状に延在するように下層吸収体の全長に、一対の上層スリットと重なるように設けることにより、上記課題を解決できることを見出し、本発明を完成するに至った。具体的には、本発明は以下のものを提供する。
【課題を解決するための手段】
【０００８】
（１）  本発明の第１の態様は、液透過性のトップシートと、液不透過性のバックシートと、トップシート及びバックシートの間に配置された吸収体と、を有する吸収性物品であって、前記吸収体は、トップシート側の上層吸収体と、バックシート側の下層吸収体との２層からなり、前側領域、排尿領域、及び後側領域を有し、前記上層吸収体は、前記上層吸収体の幅方向中心線に対して左右対称に、長手方向に直線状に延在する一対の上層スリットを、排尿領域において、前記上層吸収体の長手方向の全長に対して１０％以上６５％以下の寸法で有し、前記下層吸収体は、前記下層吸収体の幅方向中心線に対して左右対称に、長手方向に直線状に延在する一対の下層スリットを、前記下層吸収体の長手方向の全長と同じ寸法で、一対の前記上層スリットと厚さ方向で重なるように有し、各前記上層スリットの幅方向の寸法ａと、各前記下層スリットの幅方向の寸法ｂとが、ａ≦ｂの関係式で表され、かつ、ｂはａに対して、１００％以上１５０％以下の寸法である吸収性物品である。
【０００９】
（２）  本発明の第２の態様は、（１）に記載の吸収性物品であって、前記上層吸収体、及び前記下層吸収体は、吸収性繊維、及び高吸収性ポリマーを含有し、前記上層吸収体の全体の坪量は、２００ｇ／ｍ２以上５００ｇ／ｍ２以下であり、前記下層吸収体の全体の坪量は、２５０ｇ／ｍ２以上６００ｇ／ｍ２以下であることを特徴とするものである。
【００１０】
（３）  本発明の第３の態様は、（１）又は（２）に記載の吸収性物品であって、前記上層吸収体に含有される吸収性繊維の坪量は、前記上層吸収体の全体で、１２０ｇ／ｍ２以上５００ｇ／ｍ２以下であり、前記下層吸収体に含有される吸収性繊維の坪量は、前記下層吸収体の全体で、１５０ｇ／ｍ２以上６００ｇ／ｍ２以下であることを特徴とするものである。
【００１１】
（４）  本発明の第４の態様は、（１）から（３）のいずれかに記載の吸収性物品であって、前記上層吸収体に含有される高吸収性ポリマーは、前記上層吸収体の全体で、１５質量％以上５０質量％以下であり、坪量は、前記上層吸収体の全体で、２０ｇ／ｍ２以上２５０ｇ／ｍ２以下であり、前記下層吸収体に含有される高吸収性ポリマーは、前記下層吸収体の全体で、１５質量％以上５０質量％以下であり、坪量は、前記下層吸収体の全体で、３０ｇ／ｍ２以上３００ｇ／ｍ２以下であることを特徴とするものである。
【００１２】
（５）  本発明の第５の態様は、（１）から（４）のいずれかに記載の吸収性物品であって、各前記上層スリットの長手方向の寸法は、３０ｍｍ以上７００ｍｍ以下であり、各前記上層スリットの幅方向の寸法ａは、３ｍｍ以上４０ｍｍ以下であり、各前記下層スリットの幅方向の寸法ｂは、３ｍｍ以上４０ｍｍ以下であることを特徴とするものである。
【発明の効果】
【００１３】
本発明の吸収性物品は、吸収体が上層吸収体と下層吸収体の２層からなるものとするとともに、上層吸収体における一対の上層スリットが長手方向に直線状に延在するように排尿領域に設けられ、下層吸収体における一対の下層スリットが長手方向に直線状に延在するように下層吸収体の全長に、一対の上層スリットと重なるように設けられている。このため、吸収体の排尿領域において、体液が迅速に吸収される。また、下層吸収体における一対の下層スリットが長手方向に直線状に延在するように下層吸収体の全長に上層スリットと重なるように設けられていることによって、１回目の排泄による体液の吸収により、吸収体中の高吸収性ポリマーが膨潤した場合においても、体液が吸収体全体の内部にまで拡散・浸透するので、２回目以降の排泄においても、体液の漏れを効果的に防止することができる。
【図面の簡単な説明】
【００１４】
【図１】本発明の吸収性物品の平面図である。
【図２】図１に係る本発明の吸収性物品の断面図であって、（ａ）Ａ−Ａ断面図と、（ｂ）Ｂ−Ｂ断面図と、（ｃ）Ｃ−Ｃ断面図である。
【図３】本発明の吸収性物品の吸収体であって、（ａ）上層吸収体と下層吸収体の展開斜視図と、（ｂ）上層吸収体と下層吸収体の平面図である。
【図４】繰り返し吸収速度の評価のための試験装置を示す図面である。
【図５】繰り返し吸収速度評価の結果を示すグラフである。
【発明を実施するための形態】
【００１５】
以下、本発明について図面を参照して詳細に説明する。
【００１６】
＜吸収性物品＞
本明細書の説明において、吸収性物品１の着用時とは、吸収性物品１の装着時及び装着後の少なくとも一方をいう。吸収性物品１の長手方向とは、吸収性物品１が着用されたときに着用者の前後にわたる方向であり、図中、符号Ｙで示す方向である。また、吸収性物品１の幅方向とは、長手方向に対して横又は直交する方向であり、図中、符号Ｘで示す方向である。さらに、身体側表面とは、吸収体２３等の各部材の表裏両面のうち、着用時に着用者の肌側に配される面であり、衣類側表面とは、吸収体２３等の各部材の表裏両面のうち、着用時に着用者の肌側とは反対側に向けられる面である。体液とは、尿、血液、軟便中の水分等の体内から体外に排出された液体をいう。さらに、吸収性物品１の用途は、特に限定されるものではなく、一般には、幼児又は成人用を問わず、テープ止めタイプの使い捨ておむつ、パンツタイプの使い捨ておむつ、尿取りパッド、軽失禁パッド、生理用品等であってもよい。
【００１７】
図１は、本発明の吸収性物品１の平面図であり、図２は、（ａ）が図１におけるＡ−Ａ断面図、（ｂ）が図１におけるＢ−Ｂ断面図、（ｃ）が図１におけるＣ−Ｃ断面図である。吸収性物品１は、身体側表面に配された液透過性のトップシート２１と、トップシート２１に対向して配置された液不透過性のバックシート２２と、トップシート２１とバックシート２２との間に配置された吸収体２３と、を備えている。
【００１８】
また、図１及び図２に示すように、吸収性物品１には、使用者の排泄した体液の横漏れを防止するため、吸収性物品１の長手方向に沿って、トップシート２１上に、立体ギャザー用弾性部材２６ａを有する一対の立体ギャザー２６を備えていてもよい。吸収性物品１の幅方向における立体ギャザー２６の外端は、バックシート２２に固定され、その内端はトップシート２１に固着され、その中央はトップシート２１に固定されない自由端となるように、立体ギャザーシート２６ｂが配される。立体ギャザー用弾性部材２６ａを長手方向に沿って設けることで、立体ギャザー２６が起立性を有し、着用者の体型に合わせて変形可能なものとなる。立体ギャザー用弾性部材２６ａとしては、例えば、ポリウレタン糸、帯状のポリウレタンフィルム、糸状又は帯状の天然ゴム等が使用され、立体ギャザーシート２６ｂとしては、疎水性繊維にて形成された撥水性又は不透液性の不織布、例えば、スパンボンド不織布やメルトブロー不織布、スパンボンド／メルトブロー／スパンボンドを積層した複合不織布等が使用される。
【００１９】
［トップシート］
トップシート２１は、体液が吸収体２３へと移動するような液透過性を備えた基材から形成されればよく、例えば、エアスルー不織布、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート２１には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２１には、ローション、酸化防止剤、抗炎症成分、ｐＨ調整剤、抗菌剤、保湿剤等を含有させてもよい。
【００２０】
強度及び加工性の点から、トップシート２１の坪量は、１８ｇ／ｍ２以上４０ｇ／ｍ２以下であることが好ましい。トップシート２１の形状としては特に制限はないが、漏れがないように体液を吸収体２３へと誘導するために必要とされる、吸収体２３を覆う形状であればよい。
【００２１】
［バックシート］
バックシート２２は、吸収体２３が保持している体液が衣類を濡らさないような液不透過性を備えた基材を用いて形成されればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００２２】
強度及び加工性の点から、バックシート２２の坪量は、１５ｇ／ｍ２以上４０ｇ／ｍ２以下であることが好ましい。また、装着時の蒸れを防止するため、バックシート２２には、通気性を持たせることが好ましい。バックシート２２に通気性を備えさせるためには、例えば、基材の樹脂フィルムにフィラーを配合したり、バックシート２２にエンボス加工を施したりすればよい。なお、フィラーとしては炭酸カルシウムを挙げることができ、その配合方法は、公知の方法を制限なく行うことができる。
【００２３】
［吸収体］
図１、図２、及び図３に示すとおり、本発明の吸収性物品１において、吸収体２３は、トップシート２１側の上層吸収体２３１と、バックシート２２側の下層吸収体２３２の２層の層状吸収体からなり、前側領域２３ａと、排尿領域２３ｂと、後側領域２３ｃとを有する。
【００２４】
吸収体２３は、基材としての吸収性繊維と、高吸収性ポリマー（ＳＡＰ）と、を含有する。上層吸収体２３１の全体の坪量は、２００ｇ／ｍ２以上５００ｇ／ｍ２以下であり、２００ｇ／ｍ２以上４５０ｇ／ｍ２以下であることが好ましい。また、下層吸収体２３２の全体の坪量は、２５０ｇ／ｍ２以上６００ｇ／ｍ２以下であり、２７０ｇ／ｍ２以上５３０ｇ／ｍ２以下であることが好ましい。これにより、肌触りを損なわずに、より多くの体液が吸収される。そのため、上記坪量である吸収体２３全体において、吸収性能と肌触りが損なわれないようにすることができる。
【００２５】
（吸収性繊維）
吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。フラッフパルプとしては、木材パルプ（例えば、サウザンパインやダグラスファー等の針葉樹晒クラフトパルプ（Ｎ−ＢＫＰ））、合成繊維、樹脂繊維、非木材パルプ等を綿状に解繊したものを挙げることができる。
【００２６】
上層吸収体２３１に、基材としての吸収性繊維にフラッフパルプを用いた場合、吸収繊維の坪量は、上層吸収体２３１全体で、１２０ｇ／ｍ２以上５００ｇ／ｍ２以下であり、１５０ｇ／ｍ２以上３００ｇ／ｍ２以下であることが好ましい。また、下層吸収体２３２に、基材としての吸収性繊維にフラッフパルプを用いた場合、吸収繊維の坪量は、１５０ｇ／ｍ２以上６００ｇ／ｍ２以下であり、２００ｇ／ｍ２以上３５０ｇ／ｍ２以下であることが好ましい。これにより、肌触りを損なわずに、より多くの体液が吸収されることができる。
【００２７】
（高吸収性ポリマー）
吸収体２３の高吸収性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。
【００２８】
上層吸収体２３１に含有されるＳＡＰは、球形の高吸収性ポリマーであり、下層吸収体２３２に含有されるＳＡＰは、不定形の高吸収性ポリマーであることが好ましい。上層吸収体２３１おいては、比表面積が大きい球形のＳＡＰが体液を迅速に吸収する。そして、下層吸収体２３２においては、比表面積が小さい不定形のＳＡＰが繰り返し尿を吸収した後でも拡散性を維持し、長時間使用時でも体液を吸収する。そのため、上記ＳＡＰを含有する吸収体２３は、２回目以降に排出される体液でも、吸収体全体を有効に用いて迅速に多量に吸収することができる。
【００２９】
吸収体２３において、吸収性繊維及びＳＡＰの形態は、吸収性繊維中にＳＡＰ粒子を混合して形成したものであることが好ましい。また、ＳＡＰ粒子の漏洩防止や吸収体２３の形状の安定化の目的から、吸収体２３をキャリアシートに包むことが好ましい。キャリアシートの基材としては親水性を有するものであればよく、ティシュ、吸収紙、エアレイド不織布等の親水性不織布を挙げることができる。キャリアシートを複数備える場合は、キャリアシートの基材は同一のものであっても異なるものであってもよい。
【００３０】
上層吸収体２３１に含有されるＳＡＰの坪量は、上層吸収体２３１全体で、２０ｇ／ｍ２以上２５０ｇ／ｍ２以下であり、５０ｇ／ｍ２以上１５０ｇ／ｍ２以下であることが好ましい。そして、上層吸収体２３１に含有されるＳＡＰ量は、上層吸収体２３１全体で、１５質量％以上５０質量％以下であり、２０質量％以上３５質量％以下であることが好ましい。一方で、下層吸収体２３２に含有されるＳＡＰの坪量は、下層吸収体２３２全体で、３０ｇ／ｍ２以上３００ｇ／ｍ２以下であり、７０ｇ／ｍ２以上１８０ｇ／ｍ２以下であることが好ましい。そして、下層吸収体２３２に含有されるＳＡＰ量は、下層吸収体２３２全体で、１５質量％以上５０質量％以下であり、３０質量％以上５０質量％以下であることが好ましい。上記範囲とすることで、上層吸収体２３１におけるゲルブロッキングを防止し、かつ、下層吸収体２３２において多量の体液を吸収させることができる。
【００３１】
＜スリット＞
図１から図３に示すとおり、上層吸収体２３１は、上層吸収体２３１の幅方向中心線に対して左右対称に、長手方向に直線状に延在する一対の上層スリット２４を、排尿領域２３ｂにおいて、上層吸収体２３１の長手方向の全長に対して１０％以上６５％以下の寸法で有し、下層吸収体２３２は、下層吸収体２３２の幅方向中心線に対して左右対称に、長手方向に直線状に延在する一対の下層スリット２５を、下層吸収体２３２の長手方向の全長と同じ寸法で、一対の上層スリット２４と厚さ方向で重なるように有している。上層吸収体２３１と下層吸収体２３２のそれぞれの排尿領域２３ｂを貫通するようにスリットが設けられていることにより、吸収体２３の排尿領域２３ｂにおいて、体液が迅速に吸収される。また、２回目以降の排泄においても、下層吸収体２３２の壁面から吸収体２３の全体の内部に体液が浸透して迅速に吸収される。そのため、上記スリットを有する吸収体２３は、繰り返し排出される体液でも、安定して優れた吸収速度で吸収し、体液の漏れを効果的に防止することができる。
【００３２】
各上層スリット２４の幅方向の寸法ａと、各下層スリット２５の幅方向の寸法ｂとが、ａ≦ｂの関係式で表され、かつ、ｂはａに対して、１００％以上１５０％以下の寸法である。これにより、繰り返しの吸収時においては、吸収体２３の全体のより内部に体液が浸透して迅速に吸収される。そのため、上記スリットを有する吸収体２３は、繰り返し排出される体液でも、安定して優れた吸収速度で吸収し、体液の漏れを効果的に防止することができる。
【００３３】
各上層スリット２４の幅方向の寸法ａは、３ｍｍ以上４０ｍｍ以下であり、５ｍｍ以上２０ｍｍ以下であることが好ましい。また、各下層スリット２５の幅方向の寸法ｂは、３ｍｍ以上４０ｍｍ以下であり、７．５ｍｍ以上３０ｍｍ以下であることが好ましい。そして、各上層スリット２４の長手方向の寸法は、３０ｍｍ以上７００ｍｍ以下であり、５０ｍｍ以上２６０ｍｍ以下であることが好ましい。これにより、吸収速度と吸収量のバランスを良好にすることができる。
【００３４】
＜吸収性物品の製造方法＞
吸収性物品１の製造方法は、周知の方法を採用することができ、例えば、（Ａ）吸収性繊維を高吸収性ポリマーとともに積繊して吸収体マットを作成し、吸収体２３を形成する工程、（Ｂ）トップシート２１と立体ギャザー２６をホットメルト系接着剤で固定・一体化する工程、（Ｃ）トップシート２１、立体ギャザー２６、及びバックシート２２の内側にホットメルト系接着剤を塗工する工程、（Ｄ）集合ドラムにおいて、吸収体２３の上部にトップシート２１を、吸収体２３の下部にバックシート２２を配置し、各構成部材を固定・一体化する工程、（Ｅ）吸収性物品１の半製品をカッター装置により製品寸法でカットし、個々の吸収性物品１を切り離す工程、を有する製造方法等を挙げることができる。そして、本発明において吸収性物品１の吸収体２３を成形する際には、上層吸収体２３１の幅方向中心線に対して左右対称に、長手方向に直線状に延在する一対の上層スリット２４が排尿領域２３ｂにおいてのみ設けられた上層吸収体２３１と、一対の上層スリット２４と厚さ方向に重なるように、下層吸収体２３２の長手方向の全長と同じ寸法の一対の下層スリット２５が設けられた下層吸収体２３２とを積層して、吸収体２３を形成すればよい。
【実施例】
【００３５】
以下、本発明について、実施例を挙げて詳細に説明する。なお、本発明は、以下に示す実施例に何ら限定されるものではない。
【００３６】
＜実施例１＞
（吸収性物品の作製）
パルプシートを粉砕して解繊したフラッフパルプ３０ｇと、球形の高吸収性ポリマー２０ｇとをともに積繊した吸収体マットを準備し、長さ５５０ｍｍ、幅２８０ｍｍにカットして、表１のように、上層吸収体の幅方向中心線に対して左右対称に、長手方向に直線状に延在する一対の上層スリットが排尿領域においてのみ設けられた上層吸収体を用意した。また、フラッフパルプ１３ｇと、不定形の高吸収性ポリマー１０ｇとをともに積繊した吸収体マットを準備し、長さ５５０ｍｍ、幅２００ｍｍにカットして、表１のように、上層スリットと厚さ方向に重なるように、下層吸収体の長手方向の全長と同じ寸法の下層スリットが設けられた下層吸収体を用意した。これらの上層吸収体及び下層吸収体を積層させた吸収体を用いて、長さ６５０ｍｍ、幅３５０ｍｍの尿取りパッドを作製し、実施例１のサンプルとした。なお、上層吸収体の一対の上層スリットは長さ２００ｍｍ、幅２０ｍｍ、下層吸収体の一対の下層スリットは長さ５５０ｍｍ、幅３０ｍｍとした。また、トップシートとしては、エアスルー不織布（坪量２０ｇ／ｍ２）を用い、バックシートとしては、通気性ポリエチレンフィルム（坪量３５ｇ／ｍ２）を用いた。得られた尿取りパッドの繰り返し吸収速度、及びウエットバックの評価を以下に従って実施した。得られた結果を表１及び表２に示す。
【００３７】
＜比較例１から３＞
下層吸収体の排尿領域にのみ下層スリットを形成した点（比較例１）、下層吸収体にスリットを形成しなかった点（比較例２）、並びに上層吸収体及び下層吸収体にスリットを形成しなかった点（比較例３）以外は、実施例１と同様にして吸収性物品を作製し、各評価項目について評価を行った。
【００３８】
［繰り返し吸収速度］
図３に示すように、尿取りパッドを水平な平滑面に広げた状態で固定し、尿取りパッド上にアクリル板を載せ、３０ｇ／ｃｍ２の圧力をかけた状態で、内径３０ｍｍの筒より１回あたり１５０ｍＬの生理食塩水を注水し、液面が尿取りパッドへ吸収されるまでの時間を計測した。次いで３分放置した後、１５０ｍＬの生理食塩水を再び注水し、同様に時間を測定した。これを７回繰り返した。結果を表１及び図５に示す。
【００３９】
［ウエットバックの評価］
尿取りパッドを水平な平滑面に広げた状態で固定し、尿取りパッドの中央部に１５０ｍＬの生理食塩水を注入し、１０分経過後に尿取りパッドへ濾紙を置き、その上に重り５００ｇを置いて静置させた。尿取りパッド表面より濾紙へ生理食塩水が染み込んだ重量をウエットバック量（ｇ）とした。これを１回吸収後のウエットバックとする。２回吸収後は、１５０ｍＬの１回目を注入後、１０分経過後に２回目の注入(１５０ｍｌ)を行い、さらに１０分経過後に同様にウエットバックを測定した。３回以降の吸収でも同様に、１回あたり１５０ｍｌの注入を１０分間隔で繰り返し、規定回数(３回吸収の場合、１５０ｍｌ×３回)を注入した後、１０分後のウエットバックを測定した。
【００４０】
【表１】
2018015216.tif 000003
【表２】
2018015216.tif 000004
【００４１】
表１及び図５から分かるように、吸収体の排尿領域を貫通する一対のスリットを配置した実施例１と、配置していない比較例２及び３とを比較すると、１回目の生理食塩水を注入した場合に、実施例１では、吸収速度をより優れたものとすることができた。吸収体の排尿領域に上層吸収体と下層吸収体を貫通する一対のスリットを設けたことで、生理食塩水が上層吸収体と下層吸収体の両方の壁面から内部に迅速に吸収されたことによる。また、下層吸収体において、下層吸収体の長手方向の全長と同じ寸法の一対の下層スリットを配置した実施例１と、配置していない比較例１とを比較すると、生理食塩水の繰り返しの注入に対して、安定して優れた吸収速度を得ることができた。下層吸収体の長手方向の全長と同じ寸法の一対の下層スリットを下層吸収体に設けたことで、繰り返して生理食塩水が注入された場合でも、吸収体全体の壁面から吸収体の全体の内部に体液が浸透して吸収されたことによる。
【００４２】
表２から分かるように、下層吸収体の長手方向の全長と同一の寸法の一対の下層スリットを下層吸収体に配置した実施例１と、配置していない比較例１から３とを比較すると、生理食塩水を繰り返して注入した場合に、体液の漏れをより効果的に防止することができた。下層吸収体の長手方向の全長と同じ寸法の一対の下層スリットを下層吸収体に設けたことで、繰り返して生理食塩水が注入された場合でも、吸収体全体の壁面から吸収体の全体の内部に体液が浸透して吸収されたことによる。
【符号の説明】
【００４３】
１      吸収性物品
２１    トップシート
２２    バックシート
２３    吸収体
２３１  上層吸収体
２３２  下層吸収体
２４    上層スリット
２５    下層スリット
２６    立体ギャザー
２６ａ  立体ギャザー用弾性部材
２６ｂ  立体ギャザーシート
Ｙ      長手方向
Ｘ      幅方向
【図１】
2018015216.tif 000005
【図２】
2018015216.tif 000006
【図３】
2018015216.tif 000007
【図４】
2018015216.tif 000008
【図５】
2018015216.tif 000009